(57)【特許請求の範囲】
【請求項１】
ハンドオーバのためにＡ３オフセット・ＴＴＴ対を適応的に選択するための、ユーザ装置（ＵＥ）によって行われる方法であって、前記方法は、
ターゲット・セル参照信号受信電力（ＲＳＲＰ）に基づいてＡ３オフセット値を選択する工程と、
サービング・セルＲＳＲＰに基づいてトリガ時間（ＴＴＴ）を選択する工程と、
前記ターゲット・セルＲＳＲＰが前記サービング・セルＲＳＲＰを前記ＴＴＴの間に少なくとも前記Ａ３オフセット値だけ、超える場合にサービング・セルからターゲット・セルへのハンドオーバのためにｅノードＢに測定通知を送信する工程と
を含み、
前記Ａ３オフセット値は、前記ターゲット・セルＲＳＲＰに反比例するよう選択され、前記ＴＴＴは前記サービング・セルＲＳＲＰに比例するよう選択される方法。
【請求項２】
請求項１記載の方法であって、前記Ａ３オフセット値を選択する工程は、前記ターゲット・セルＲＳＲＰ、及び１つ又は複数のＲＳＲＰ閾値に基づいて複数のＡ３オフセット値の１つを選択する工程を含み、
ＴＴＴを選択する工程は、前記サービング・セルＲＳＲＰ及び前記１つ又は複数のＲＳＲＰ閾値の１つを選択する工程を含む方法。
【請求項３】
請求項２記載の方法であって、
接続確立時に前記ｅノードＢから前記複数のＡ３オフセット値、前記複数のＴＴＴ、及び前記１つ又は複数のＲＳＲＰ閾値を受信する工程と、
前記受信されたＡ３オフセット値、ＴＴＴ、及び１つ又は複数のＲＳＲＰ閾値を前記ＵＥのメモリに記憶する工程と
を更に含む方法。
【請求項４】
請求項３記載の方法であって、Ａ３イベント中にＡ３オフセット値及びＴＴＴの選択又は再選択を控える工程を更に含み、前記Ａ３イベントは、測定されたターゲット・セルＲＳＲＰが、測定されたサービング・セルＲＳＲＰを、現在選択されているＡ３オフセット値だけ超える場合であり、
Ａ３オフセット・ＴＴＴ対のＡ３オフセット値及びＴＴＴの選択及び再選択は前記Ａ３イベント外で行われる方法。
【請求項５】
請求項３記載の方法であって、前記１つ又は複数のＲＳＲＰ閾値に基づいて、より大きいＡ３オフセット値が、より低いターゲット・セルＲＳＲＰの場合に選択され、より小さいＡ３オフセット値が、より高いターゲット・セルＲＳＲＰの場合に選択され、
前記１つ又は複数のＲＳＲＰ閾値に基づいて、より大きいＴＴＴが、より高いサービング・セルＲＳＲＰの場合に選択され、より小さいＴＴＴが、より低いサービング・セルＲＳＲＰの場合に選択される方法。
【請求項６】
請求項２記載の方法であって、
前記ターゲット・セルＲＳＲＰが前記ＲＳＲＰ閾値の１つよりも大きい場合に、第１のＡ３オフセット値が前記Ａ３オフセット値に選択され、
前記ターゲット・セルＲＳＲＰが前記ＲＳＲＰ閾値の１つよりも大きくない場合に、第２のＡ３オフセット値が前記Ａ３オフセット値に選択され、
前記サービング・セルＲＳＲＰが前記ＲＳＲＰ閾値の１つよりも大きい場合に、第１のＴＴＴが前記ＴＴＴに選択され、
前記サービング・セルＲＳＲＰが前記ＲＳＲＰ閾値の１つよりも大きくない場合に、第２のＴＴＴが前記ＴＴＴに選択され、
前記第１のＡ３オフセット値は前記第２のＡ３オフセット値よりも小さく、前記第１のＴＴＴは前記第２のＴＴＴよりも大きい方法。
【請求項７】
請求項２記載の方法であって、
前記ターゲット・セルＲＳＲＰが前記ＲＳＲＰ閾値のうちの第１のＲＳＲＰ閾値よりも大きい場合に、第１のＡ３オフセット値が前記Ａ３オフセット値に選択され、
前記ターゲット・セルＲＳＲＰが前記ＲＳＲＰ閾値のうちの第２のＲＳＲＰ閾値よりも大きいが、前記ＲＳＲＰ閾値のうちの前記第１のＲＳＲＰ閾値よりも大きくない場合に、第２のＡ３オフセット値が前記Ａ３オフセット値に選択され、
前記ターゲット・セルＲＳＲＰが前記ＲＳＲＰ閾値のうちの前記第２のＲＳＲＰ閾値よりも大きくない場合に、第３のＡ３オフセット値が前記Ａ３オフセット値に選択され、
前記サービング・セルＲＳＲＰが前記ＲＳＲＰ閾値のうちの前記第１のＲＳＲＰ閾値よりも大きい場合に、第１のＴＴＴが前記ＴＴＴに選択され、
前記サービング・セルＲＳＲＰが前記ＲＳＲＰ閾値のうちの前記第２のＲＳＲＰ閾値よりも大きいが、前記ＲＳＲＰ閾値のうちの前記第１のＲＳＲＰ閾値よりも大きくない場合に、第２のＴＴＴが前記ＴＴＴに選択され、
前記サービング・セルＲＳＲＰが前記ＲＳＲＰ閾値のうちの前記第２のＲＳＲＰ閾値よりも大きくない場合に、第３のＴＴＴが前記ＴＴＴに選択される方法。
【請求項８】
請求項２記載の方法であって、前記方法は更に、
ＴＴＴタイマをＡ３イベントに応じてセットする工程であって、前記ＴＴＴタイマは、前記選択されたＴＴＴ後に満了し、前記Ａ３イベントは、前記ターゲット・セルＲＳＲＰが、前記サービング・セルＲＳＲＰを、少なくとも現在選択されているＡ３オフセット値だけ超える場合を含む工程と、
前記ターゲット・セルＲＳＲＰが前記サービング・セルＲＳＲＰを、少なくとも前記選択されたＡ３オフセット値だけ超える訳でない場合に前記ＴＴＴタイマを停止させる工程と、
前記ＴＴＴタイマが満了すると、前記測定通知を前記ｅノードＢに送出する工程と
を含む方法。
【請求項９】
請求項２記載の方法であって、前記ターゲット・セル及び前記サービング・セルは別々のセル・レイヤを含み、前記別々のセル・レイヤはマクロセル・レイヤ及びマイクロセル・レイヤを含み、前記マクロセル・レイヤはマクロ・セルを含み、前記マイクロセル・レイヤはマイクロセル、ピコセル、及びフェムトセルを含む方法。
【請求項１０】
請求項１記載の方法であって、
チャネル帯域幅にわたり、ターゲット・セルｅノードＢによって送信される下りリンク参照信号の平均に基づいて前記ターゲット・セルＲＳＲＰを測定する工程と、
前記チャネル帯域幅にわたり、サービング・セルｅノードＢによって送信される下りリンク参照信号の平均に基づいて前記サービング・セルＲＳＲＰを測定する工程と
を更に含み、
前記Ａ３オフセット・ＴＴＴ対の前記Ａ３オフセット値及び前記ＴＴＴは、前記測定されたＲＳＲＰに基づいて選択される方法。
【請求項１１】
ユーザ装置（ＵＥ）であって、
測定されたターゲット・セル参照信号受信電力（ＲＳＲＰ）に基づいてＡ３オフセット値を選択し、測定されたサービング・セルＲＳＲＰに基づいてトリガ時間（ＴＴＴ）を選択するための処理回路と、
前記ターゲット・セルＲＳＲＰが前記サービング・セルＲＳＲＰを、前記ＴＴＴの間に少なくとも前記Ａ３オフセット値だけ超える場合にサービング・セルからターゲット・セルに測定通知を送信するための物理レイヤ回路とを備え、
前記Ａ３オフセット値は、前記ターゲット・セルＲＳＲＰに反比例するよう選択され、前記ＴＴＴは前記サービング・セルＲＳＲＰに比例するよう選択されるＵＥ。
【請求項１２】
請求項１１記載のＵＥであって、前記物理レイヤ回路は、
接続確立時にｅノードＢから複数のＡ３オフセット値、複数のＴＴＴ、及び１つ又は複数のＲＳＲＰ閾値を受信し、
前記サービング・セルＲＳＲＰ及び前記ターゲット・セルＲＳＲＰを監視する
よう構成され、
前記処理回路は、前記ターゲット・セルＲＳＲＰに基づいて前記複数のＡ３オフセット値から前記Ａ３オフセット値を選択し、前記サービング・セルＲＳＲＰに基づいて前記複数のＴＴＴから前記ＴＴＴを選択するＵＥ。
【請求項１３】
請求項１２記載のＵＥであって、前記処理回路は、
Ａ３イベント中のＡ３オフセット及びＴＴＴの選択又は再選択を控えるよう構成され、前記Ａ３イベントは、測定されたターゲット・セルＲＳＲＰが、測定されたサービング・セルＲＳＲＰを、現在選択されているＡ３オフセット値だけ超える場合であり、
Ａ３オフセット・ＴＴＴ対のＡ３オフセット値及びＴＴＴの選択及び再選択は前記Ａ３イベント外で行われるＵＥ。
【請求項１４】
請求項１３記載のＵＥであって、より大きいＡ３オフセット値が、より低いターゲット・セルＲＳＲＰの場合に選択され、より小さいＡ３オフセット値が、より高いターゲット・セルＲＳＲＰの場合に選択され、
より大きいＴＴＴが、より高いサービング・セルＲＳＲＰの場合に選択され、より小さいＴＴＴが、より低いサービング・セルＲＳＲＰの場合に選択されるＵＥ。
【請求項１５】
無線アクセス・ネットワークにおいて動作するユーザ装置（ＵＥ）であって、前記ＵＥは、
直交周波数分割多元接続（ＯＦＤＭＡ）手法により、２つ以上のアンテナを使用してエンハンスド・ノードＢ（ｅノードＢ）と通信するための物理レイヤ回路であって、前記物理レイヤ回路は、接続確立時に前記ｅノードＢから、複数のＡ３オフセット値、複数のトリガ時間（ＴＴＴ）、及び１つ又は複数の参照信号受信電力（ＲＳＲＰ）閾値を受信し、前記物理レイヤ回路はターゲット・セル及びサービング・セルのＲＳＲＰを測定する物理レイヤ回路と、
前記ターゲット・セルの前記測定されたＲＳＲＰ、及び前記１つ又は複数のＲＳＲＰ閾値に基づいて前記Ａ３オフセット値の１つを選択し、前記サービング・セルの前記測定されたＲＳＲＰ、及び前記１つ又は複数のＲＳＲＰ閾値に基づいて前記ＴＴＴの１つを選択するための処理回路と
を備えるＵＥ。
【請求項１６】
請求項１５記載のＵＥであって、前記処理回路は、前記ターゲット・セルＲＳＲＰが前記サービング・セルＲＳＲＰを、前記選択されたＴＴＴの間に、少なくとも前記選択されたＡ３オフセット値だけ超える場合に、ハンドオーバ・イニシエーションのために前記ｅノードＢに測定通知を送信するよう構成されたＵＥ。
【請求項１７】
請求項１６記載のＵＥであって、より大きいＡ３オフセット値が、より低いターゲット・セルＲＳＲＰについて選択され、より小さいＡ３オフセット値が、より高いターゲット・セルＲＳＲＰについて選択され、
より大きいＴＴＴが、より高いサービング・セルＲＳＲＰの場合に選択され、より小さいＴＴＴが、より低いサービング・セルＲＳＲＰの場合に選択されるＵＥ。
【請求項１８】
請求項１７記載のＵＥであって、前記処理回路は、Ａ３イベント中にＡ３オフセット値及びＴＴＴの選択又は再選択を控えるよう構成され、前記Ａ３イベントは、前記測定されたターゲット・セルＲＳＲＰが前記測定されたサービング・セルＲＳＲＰを、現在選択されているＡ３オフセット値だけ超える場合であり、
Ａ３オフセット・ＴＴＴ対のＡ３オフセット及びＴＴＴの選択及び再選択は、前記Ａ３イベント外で行われるＵＥ。
【請求項１９】
ハンドオーバの方法であって、
接続確立時にエンハンスド・ノードＢ（ｅノードＢ）から複数のＡ３オフセット値、複数のトリガ時間（ＴＴＴ）、及び１つ又は複数の参照信号受信電力（ＲＳＲＰ）閾値を受信する工程と、
ターゲット・セルのＲＳＲＰ及びサービング・セルのＲＳＲＰを測定する工程と、
前記ターゲット・セルの前記測定されたＲＳＲＰ、及び１つ又は複数のＲＳＲＰ閾値に基づいて前記Ａ３オフセット値の１つを選択する工程であって、前記Ａ３オフセット値が、前記ターゲット・セルＲＳＲＰに反比例するよう選択される工程と、
前記サービング・セルの前記測定されたＲＳＲＰ、及び前記１つ又は複数のＲＳＲＰ閾値に基づいて前記ＴＴＴの１つを選択する工程であって、前記ＴＴＴが、前記サービング・セルＲＳＲＰに比例するよう選択される工程と
を含む方法。
【請求項２０】
請求項１９記載の方法であって、
前記サービング・セルＲＳＲＰ及び前記ターゲット・セルＲＳＲＰが変動するにつれ、前記複数のＡ３オフセット値及びＴＴＴからＡ３オフセット値及びＴＴＴを再選択する工程と、
Ａ３イベント中のＡ３オフセット及びＴＴＴの選択又は再選択を控える工程と
を含む方法。
【請求項２１】
請求項２０記載の方法であって、前記Ａ３イベントは、前記測定されたターゲット・セルＲＳＲＰが前記測定されたサービング・セルＲＳＲＰを、現在選択されているＡＳオフセット値だけ超える時間を含み、
前記方法は、前記ターゲット・セルＲＳＲＰが前記サービング・セルＲＳＲＰを、前記選択されたＴＴＴの間に、少なくとも前記選択されたＡ３オフセット値だけ超える場合、前記サービング・セルから前記ターゲット・セルへのハンドオーバを起動させる工程を含む方法。
【発明の詳細な説明】
【技術分野】
【０００１】
本出願は、それらの全体を参照によって本明細書及び特許請求の範囲に援用する、西暦２０１２年１月２７日付け出願の米国特許仮出願第６１／５９１，６４１号の優先権の利益を主張する、西暦２０１２年８月８日付け出願の米国特許出願第１３／５６９，４４３号の優先権の利益を主張する。
【０００２】
実施例は無線セルラ通信に関する。一部の実施例は、ヘットネット（ＨｅｔＮｅｔ）モビリティに関する。一部の実施例は、別々のセル・レイヤのセル間のハンドオーバを含む、セル間のハンドオーバに関する。
【背景技術】
【０００３】
セルラ通信ネットワークの一課題は、セル間で（すなわち、サービング・セルからターゲット・セルへ）モバイル装置をハンドオーバさせるべき時点を求めることである。課題の１つは、無線リンクに障害が生じる前にハンドオーバを行うことである。このことは、特に、小さいセルに、より大きいセルが重ねられる異種ネットワーク（ＨｅｔＮｅｔ）における課題である。モビリティがより高い装置は、前述のハンドオーバの課題を一層困難にしている。一部の従来の手法は、モバイル装置の速度を使用して無線リンク障害率を削減している。しかし、これにより、オーバヘッド及び処理が増加する。
【発明の概要】
【発明が解決しようとする課題】
【０００４】
よって、無線リンク障害率を削減する改良されたハンドオーバ手法に対する一般的な必要性が存在している。更に、無線リンク障害率を削減し、ハンドオーバ効率を増加させ、より少ないオーバヘッドで動作させる改良されたハンドオーバ手法に対する一般的な必要性が存在している。更に、モバイル装置の速度の使用を必要としない改良されたハンドオーバ手法に対する一般的な必要性が存在している。
【課題を解決するための手段】
【０００５】
更に、特に高速移動モバイル装置について、無線リンク障害率を削減する改良されたハンドオーバ手法に対する一般的な必要性が存在している。ヘットネット・モビリティに適した改良されたハンドオーバ手法に対する一般的な必要性も存在している。
【図面の簡単な説明】
【０００６】
【図１】一部の実施例によるセルラ通信を示す図である。
【図２】一部の実施例によるハンドオーバ・イニシエーション基準の例を示す図である。
【図３】一部の実施例による別々のセルラ・レイヤ内のセルラ通信を示す図である。
【図４】一部の実施例によるユーザ装置（ＵＥ）を示すブロック図である。
【図５】一部の実施例による、ハンドオーバ・イニシエーション・パラメータの適応的選択の手順を示す図である。
【発明を実施するための形態】
【０００７】
以下の説明及び図面は、特定の実施例を、当業者が実施することを可能にするために十分に例証している。他の実施例は、構造的変更、論理的変更、電気的変更、処理上の変更、及び他の変更を組み入れ得る。一部の実施例の一部分及び構成を、他の実施例の一部又は構成に含め、又は、他の実施例の一部又は構成と置換し得る。請求項記載の実施例は、前述の請求項の利用可能な均等物全てを包含する。
【実施例】
【０００８】
図１は、一部の実施例によるセルラ通信を示す。エンハンスド又はエボルブド・ノードＢ（ｅＮｏｄｅＢ）１０４などの基地局は、セル１０１内の、ＵＥ１０２などの通信装置に無線通信サービスを提供する。
【０００９】
ｅノードＢ１０６などの基地局は、セル１０３内の通信装置に無線通信サービスを提供する。ハンドオーバは、特定のハンドオーバ基準が満たされた場合にＵＥ１０２との通信をハンドオーバするためにｅノードＢ１０４からｅノードＢ１０６へ行い得る。
【００１０】
実施例によれば、オフセット値及びトリガ時間（ＴＴＴ）などのハンドオーバ・イニシエーション・パラメータは、セル１０１などのサービング・セルからセル１０３などのターゲット・セルへのハンドオーバを行うために適応的に選択し得る。前述の実施例では、オフセット値及びＴＴＴは、参照信号などの特定の信号の受信電力レベルに基づいて選択し得る。一部の実施例では、参照信号受信電力（ＲＳＲＰ）を使用し得る。
【００１１】
一部の実施例では、オフセット値はＡ３オフセット値であり得る。前述の実施例の一部では、Ａ３オフセット値は、ターゲット・セル参照信号受信電力（ｔａｒＲＳＲＰ）及びソース又はサービング・セルＲＳＲＰ（ｓｒｃＲＳＲＰ）の１つ又は複数に基づいて選択し得る。ＴＴＴは、ターゲット・セルＲＳＲＰ及びサービング・セルＲＳＲＰの１つ又は複数に基づいて選択し得る。前述の実施例の一部では、Ａ３オフセット値をターゲット・セルＲＳＲＰに基づいて選択し得、ＴＴＴをサービング・セルＲＳＲＰに基づいて選択し得る。
【００１２】
前述の実施例では、サービング・セル１０１からターゲット・セル１０３へのハンドオーバは、選択されたＴＴＴの間に、少なくとも選択されたＡ３オフセット値だけ、ターゲット・セルＲＳＲＰがサービング・セルＲＳＲＰを常に超える場合に起動し得る。一部の実施例では、Ａ３オフセット値は、ターゲット・セルＲＳＲＰに反比例するよう選択し得、ＴＴＴはサービング・セルＲＳＲＰに比例するよう選択し得る。前述の実施例は以下に更に詳細に説明する。
【００１３】
図２は、一部の実施例によるハンドオーバ・イニシエーション（起動）基準の例を示す。サービング・セル１０１（図１）はサービング・セルＲＳＲＰ２０１を有し得、ターゲット・セル１０３（図１）はターゲット・セルＲＳＲＰ２０３を有し得る。この例示的な例証では、サービング・セルＲＳＲＰ２０１及びターゲット・セルＲＳＲＰ２０３は、例証するように変わり得る。このことは、ＵＥ１０２（図１）などのＵＥがターゲット・セル１０３に対してサービング・セル１０１内で移動する場合にあてはまり得る。図２に示すように、ターゲット・セルＲＳＲＰ２０３が、ＴＴＴ２０７について少なくともＡ３オフセット値２０５（すなわち、Ａ３イベント）だけ、サービング・セルＲＳＲＰ１０２を常に超える場合、ハンドオーバを起動し得る。一部の実施例では、ＵＥ１０２は、ハンドオーバを起動させるために、サービング・セル１０１からターゲット・セル１０３へのハンドオーバのための測定通知２０９を送信し得る。
【００１４】
本明細書及び特許請求の範囲において使用されるようなＡ３イベントは、近傍セルのＲＳＲＰが、一次セル（Ｐセル）のＲＳＲＰ（例えば、サービング・セルＲＳＲＰ）よりも良好なオフセットの量（Ａ３オフセット値）になる場合の測定通知イベントであり得る。一部の実施例では、Ａ３イベントは、３ＧＰＰ  Ｔ．Ｓ  ３６．３３１（第３世代パートナーシップ・プロジェクト、技術仕様グループ  無線アクセス・ネットワーク、エボルブド・ユニバーサル地上無線アクセス（Ｅ−ＵＴＲＡ）、無線リソース制御（ＲＲＣ）、プロトコル仕様書（リリース１１））による「イベントＡ３」を表し得るが、これは要件ではない。前述の実施例では、イベントＡ３はハンドオーバ・イベントであり、Ａ３オフセットは、ハンドオーバをトリガするための値である。
【００１５】
前述の実施例では、選択されたＡ３オフセット値２０５はターゲット・セルＲＳＲＰ２０３に反比例し得、選択されたＴＴＴ２０７は、サービング・セルＲＳＲＰ２０１に比例し得る。前述の実施例では、Ａ３オフセット値２０５及びＴＴＴ２０７（すなわち、Ａ３オフセット・ＴＴＴ対）の適応的選択は、特に、高速移動中のＵＥを含む、移動中のＵＥの場合、ハンドオーバ効率を向上させ、無線リンク障害（ＲＬＦ）を削減し、ハンドオーバ・オーバヘッドを削減し得る。ＲＳＲＰに基づいたＡ３オフセット・ＴＴＴ対の適応的選択は、ＵＥの速度の推定又は使用の必要なしで、特に、高速移動ＵＥの場合に、ハンドオーバ効率を向上させ、無線リンク障害を削減し得る。
【００１６】
一部の実施例では、１つ又は複数の閾値とともにＡ３オフセット値及びＴＴＴの組を、無線リソース制御（ＲＲＣ）接続確立時に（例えば、当初の接続確立時に）ＵＥ１０２にｅノードＢ１０４によって送出し得る。ＵＥ１０２がＡ３イベント（すなわち、Ａ３オフセット状態が該当する）に入ると、ＵＥ１０２は、ＴＴＴ時間まで、選択されたＡ３オフセット値・ＴＴＴ対をロックインし得る。Ａ３イベントの満了後、ＵＥ１０２は、ＵＥ１０２がＡ３イベントを出ると、選択されたＡ３オフセット値・ＴＴＴ対をロック解除し得る。前述の実施例では、Ａ３イベント外の場合、ＵＥ１０２は、サービング・セルＲＳＲＰ２０１及びターゲット・セルＲＳＲＰ２０３を監視し、１つ又は複数のＲＳＲＰ閾値に基づいてＡ３オフセット値・ＴＴＴ対を動的に選択し得る。
【００１７】
一部の実施例では、ＵＥ１０２は、Ａ３イベント中のＡ３オフセット値及びＴＴＴ２０７の選択又は再選択を控え得る。Ａ３イベントは、測定されたターゲット・セルＲＳＲＰ２０３が、測定されたサービング・セルＲＳＲＰ２０１を、現在選択されているＡ３オフセット値２０５だけ、超える時間を含み得る。Ａ３オフセット・ＴＴＴ対のＡ３オフセット値２０５及びＴＴＴ２０７の選択及び再選択はＡ３イベント外で定期的に行い得、選択されたＡ３オフセット値２０５及びＴＴＴ２０７はＡ３イベント中、維持される（すなわち、再選択されない）。
【００１８】
一部の実施例では、Ａ３オフセット値２０５の選択は、ターゲット・セルＲＳＲＰ２０３に基づいて複数のＡ３オフセット値（すなわち、ｖ１、ｖ２又はｖ３）の１つの選択を含み得る。ＴＴＴ２０７の選択は、サービング・セルＲＳＲＰ２０１に基づいた複数のＴＴＴ（ｔ１、ｔ２、又はｔ３）の１つの選択を含み得る。前述の実施例では、より大きいＡ３オフセット値２０５を、より低いターゲット・セルＲＳＲＰ２０３の場合に選択し得、より小さいＡ３オフセット値２０５を、より高いターゲット・セルＲＳＲＰ２０３の場合に選択し得る。前述の実施例では、選択されたＡ３オフセット値２０５は、ターゲット・セルＲＳＲＰ２０３に反比例する。Ａ３オフセット値２０５の単位はｄＢであり得るが、実施例の範囲はこの点に限定されるものでない。
【００１９】
一部の実施例では、ターゲット・セルＲＳＲＰ２０３とサービング・セルＲＳＲＰ２０１との間の差（測定されたターゲット・セルＲＳＲＰ２０３から減算された測定されたサービング・セルＲＳＲＰ２０１）は、測定されたＡ３オフセットとして表し得る。Ａ３イベントは、測定されたＡ３オフセットが、選択されたＡ３オフセット値２０５を超える場合に生じ得る。
【００２０】
一部の実施例では、より大きいＴＴＴ２０７を、より高いサービング・セルＲＳＲＰ２０１の場合に選択し得、より小さいＴＴＴ２０７を、より低いサービング・セルＲＳＲＰ２０１の場合に選択し得る。前述の実施例では、選択されたＴＴＴ２０７は、サービング・セルＲＳＲＰ２０１に比例し得る。ＴＴＴ２０７の単位はミリ秒であり得るが、実施例の範囲はこの点に限定されるものでない。
【００２１】
一部の実施例では、複数のＡ３オフセット値及び複数のＴＴＴを、ＲＲＣ接続確立時にｅノードＢ１０４から受信し得る。一部の実施例では、複数のＡ３オフセット値及び複数のＴＴＴはデフォルト又は当初のＡ３オフセット値及びＴＴＴに基づき得る。一部の実施例では、Ａ３オフセット値及びＴＴＴは、ｅノードＢ１０４とＵＥ１０２との間のＲＲＣ接続確立時にｅノードＢ１０４によって構成又は判定し得るが、これは要件ではない。
【００２２】
一部の実施例では、Ａ３オフセット値及びＴＴＴは所定のものであり得る。Ａ３オフセット値及びＴＴＴは、上述するように後の選択のためにＵＥ１０２に記憶し得る。
【００２３】
別の一部の実施例では、複数のＡ３オフセット値及び複数のＴＴＴはデフォルト又は当初のＡ３オフセット値及びＴＴＴに基づいてＵＥ１０２によって生成し得る。前述の別の実施例では、デフォルト又は当初のＡ３オフセット値及びＴＴＴはｅノードＢ１０４によって提供し得るが、これは要件ではない。一部の実施例では、ターゲット・セルＲＳＲＰ２０３がＲＳＲＰ閾値（α）よりも大きい場合にＡ３オフセット値２０５に第１のＡ３オフセット値（ｖ１）を選択し得、ターゲット・セルＲＳＲＰ２０３がＲＳＲＰ閾値（α）よりも大きくない場合にＡ３オフセット値２０５に第２のＡ３オフセット値（ｖ２）を選択し得る。前述の実施例では、サービング・セルＲＳＲＰ２０１がＲＳＲＰ閾値（α）よりも大きい場合にＴＴＴ２０７に第１のＴＴＴ値（ｔ１）を選択し得、サービング・セルＲＳＲＰ２０１がＲＳＲＰ閾値（α）よりも大きくない場合にＴＴＴ２０７に第２のＴＴＴ値（ｔ２）を選択し得る。第１のＡ３オフセット値（ｖ１）は第２のＡ３オフセット値（ｖ２）よりも小さいことがあり得、第１のＴＴＴ（ｔ１）は第２のＴＴＴ（ｔ２）よりも大きいことがあり得る。前述の実施例の一部では、第１のＡ３オフセット値（ｖ１）、第２のＡ３オフセット値（ｖ２）、第１のＴＴＴ（ｔ１）、第２のＴＴＴ（ｔ２）、及びＲＳＲＰ閾値（α）は、接続確立時にｅノードＢ１０４によって提供し得る。
【００２４】
一部の実施例では、ターゲット・セルＲＳＲＰ２０３及びサービング・セルＲＳＲＰ２０１は、Ｎ−１のＲＳＲＰ閾値を、ＮのＡ３オフセット値及びＮのＴＴＴから選択するために使用する複数のレベル（Ｎ）に分けることができる。３つのレベルが使用される（Ｎ＝３）例示的な実施例では、ターゲット・セルＲＳＲＰ２０３が第１のＲＳＲＰ閾値（α）よりも大きい場合にＡ３オフセット値２０５に第１のＡ３オフセット値（ｖ１）を選択し得、ターゲット・セルＲＳＲＰ２０３が第２のＲＳＲＰ閾値（β）よりも大きいが、第１のＲＳＲＰ閾値（α）よりも大きくない場合にＡ３オフセット値２０５に第２のＡ３オフセット値（ｖ２）を選択し得、ターゲット・セルＲＳＲＰ２０３が第２のＲＳＲＰ閾値（β）よりも大きくない場合にＡ３オフセット値２０５に第３のＡ３オフセット値（ｖ３）を選択し得る。サービング・セルＲＳＲＰ２０１がＲＳＲＰ閾値（α）よりも大きい場合にＴＴＴ２０７に第１のＴＴＴ（ｔ１）を選択し得、サービング・セルＲＳＲＰ２０１が第２のＲＳＲＰ閾値（β）よりも大きいが、第１のＲＳＲＰ閾値（α）よりも大きくない場合にＴＴＴ２０７に第２のＴＴＴ値（ｔ２）を選択し得、サービング・セルＲＳＲＰ２０１が第２のＲＳＲＰ閾値（β）よりも大きくない場合にＴＴＴ２０７に第３のＴＴＴ（ｔ３）を選択し得る。第１のＡ３オフセット値（ｖ１）は第２のＡ３オフセット値（ｖ２）よりも小さいことがあり得、第２のＡ３オフセット値（ｖ２）は第３のＡ３オフセット値（ｖ３）よりも小さいことがあり得る（すなわち、ｖ１＜ｖ２＜ｖ３である）。第１のＴＴＴ（ｔ１）は第２のＴＴＴ（ｔ２）よりも大きいことがあり得、第２のＴＴＴ（ｔ２）は第３のＴＴＴ（ｔ３）よりも大きいことがあり得る（すなわち、ｔ１＞ｔ２＞ｔ３である）。前述の実施例では、第１のＡ３オフセット値、第２のＡ３オフセット値、第３のＡ３オフセット値、第１のＴＴＴ、第２のＴＴＴ、第３のＴＴＴ、及び第１のＲＳＲＰ閾値、第２のＲＳＲＰ閾値は接続確立時にｅノードＢ１０４によって提供し得る。
【００２５】
前述の実施例では、第１のＲＳＲＰ閾値（α）は、最大３ｄＢ以上だけ、第２のＲＳＲＰ閾値（β）よりも大きいことがあり得るが、実施例の範囲はこの点に限定されるものでない。一部の実施例では、Ｎは２以上５未満であり得るが、Ｎは５よりも大きいことがあり得るので、実施例の範囲はこの点に限定されるものでない。一部の実施例では、ＲＳＲＰ閾値（α，β）は、無線リンク障害を最小にするか、又は削減し、ハンドオーバ・オーバヘッドを削減するために別々の速度で移動しているＵＥについて行われるシミュレーションに基づいたシステムによって求め得る。
【００２６】
Ｎ＝２の例示的な実施例では、単一のＲＳＲＰ閾値、別々の２つのＡ３オフセット値、及び別々の２つのＴＴＴをｅノードＢ１０４によって提供し得る。Ｎ＝３の場合、２つのＲＳＲＰ閾値、別々の３つのＡ３オフセット値、及び別々の３つのＴＴＴを提供し得る。Ｎ＝４の場合、３つのＲＳＲＰ閾値、別々の４つのＡ３オフセット値、及び別々の４つのＴＴＴを提供し得る。前述の実施例では、ＵＥ１０２は、ハンドオーバ・イニシエーションのためのＲＳＲＰ閾値、並びに、測定されたターゲット・セルＲＳＲＰ及び測定されたサービス・セルＲＳＲＰに基づいてＡ３オフセット・ＴＴＴ対を選択し得る。
【００２７】
一部の実施例では、潜在的なハンドオーバ決定のためのサービング・セル１０１のｅノードＢ１０４による使用のために、選択されたＴＴＴ２０７の間、少なくとも選択されたＡ３オフセット値２０５だけ、ターゲット・セルＲＳＲＰ２０３がサービング・セルＲＳＲＰ２０１を常に超えている場合に、ＵＥ１０２は、測定通知２０９をサービングｅノードＢ１０４に送出し、又は送信し得る。測定通知２０９は少なくともターゲット・セル１０３のセル識別子を含み得る。ハンドオーバは測定通知２０９に応じて行い得る。
【００２８】
一部の実施例では、測定通知２０９は、ＴＴＴタイマの満了時に測定されたサービング・セルＲＳＲＰ２０１及びターゲット・セルＲＳＲＰ２０３を含み得る。測定通知２０９は更に、他の近傍セルのＲＳＲＰを含み得る。一部の実施例では、測定通知２０９はトリガ測定通知として表し得る。前述の実施例の一部では、最大／最強ＲＳＲＰを有する近傍セルをターゲット・セル１０３として識別し得る。測定通知２０９は、その物理セル識別子（ｐｈｙｓｃｅｌｌｉｄ）により、セルを識別し得、一部の実施例では、セルの閉加入者グループ（ＣＳＧ）識別情報が含まれ得る。別の一部の実施例では、測定通知２０９は、ターゲット・セルへのハンドオーバをトリガするために使用し得、必ずしも、ＲＳＲＰ値を含まないことがあり得る。
【００２９】
前述の実施例の一部では、サービングｅノードＢ１０４がＵＥ１０２をターゲット・セル１０３のｅノードＢ１０６にハンドオーバすることにした場合、サービングｅノードＢ１０４はハンドオーバ要求をターゲットｅノードＢ１０６に送出し得る。ターゲットｅノードＢ１０６は、ハンドオーバ要求肯定応答（ＡＣＫ）によって応答し得る。サービングｅノードＢ１０４は次いで、モビリティ制御情報（例えば、ｍｏｂｉｌｉｔｙＣｏｎｔｒｏｌＩｎｆｏ）を含むＲＲＣ再構成メッセージをＵＥ１０２に通知し得る。サービングｅノードＢ１０４は、次いで、ステータスをターゲットｅノードＢ１０６に移し得、ＵＥ１０２は、ＲＲＣ接続再構成メッセージにより、ターゲットｅノードＢ１０６に切り替えて、ハンドオーバ・プロセスを完了し得る。
【００３０】
一部の実施例では、ターゲット・セルＲＳＲＰ２０３が、少なくとも、選択されたＡ３オフセット値２０５だけ、サービング・セルＲＳＲＰ２０１を超える場合にＴＴＴタイマを設定し得る。ＴＴＴタイマは、選択されたＴＴＴ２０７後に満了するよう構成し得る。ターゲット・セルＲＳＲＰ２０３が、サービング・セルＲＳＲＰ２０１を、少なくとも選択されたＡ３オフセット値２０５だけ超える訳でない場合、ＵＥ１０２はＴＴＴタイマを停止させ得る。ターゲット・セルＲＳＲＰ２０３が、少なくとも選択されたＡ３オフセット値２０５だけ、サービング・セルＲＳＲＰ２０１を超える場合、ＴＴＴタイマをリセットし、再起動し得る。ＴＴＴタイマの満了時に、ＵＥ１０２は、測定通知２０９をサービングｅノードＢ１０４に送出し得る。
【００３１】
一部の実施例では、ＵＥ１０２は、ターゲット・セル１０３のＲＳＲＰ及びサービング・セル１０１のＲＳＲＰを定期的に測定するよう構成し得る。ターゲット・セル１０３のＲＳＲＰ（すなわち、ターゲット・セルＲＳＲＰ２０３）は、チャネル帯域幅にわたり、ターゲット・セルｅノードＢ１０６によって送信された下りリンク参照信号の平均に基づき得る。サービング・セル１０１のＲＳＲＰ（すなわち、サービング・セルＲＳＲＰ２０１）は、チャネル帯域幅にわたり、サービング・セルｅノードＢ１０４によって送信された下りリンク参照信号の平均に基づき得る。前述の実施例では、ＲＳＲＰは、チャネル帯域幅にわたる、下りリンク参照信号の線形平均をＵＥ１０２がとることによって行われる物理レイヤ測定であり得る。値は、レイヤ１（Ｌ１）及びレイヤ３（Ｌ３）フィルタリング後に生成し得る。一部の実施例では、ＲＳＲＰ測定は、ＴＳ３６．３３１を含む、ＵＴＲＡＮ−ＬＴＥ  ３ＧＰＰの第３世代パートナーシップ・プロジェクト（３ＧＰＰ）標準を含む、ＵＴＲＡＮ  ＬＴＥ標準の１つによって行い得るが、これは要件ではない。
【００３２】
一部の実施例では、ＲＳＲＰは、帯域幅全体にわたり、セル特有の参照信号を搬送する一部又は全部のリソース・エレメントの電力の平均であり得、参照シンボルを収容する直交周波数分割多重（ＯＦＤＭ）シンボル単位で測定される。前述の実施例では、別々のｅノードＢによって送信される参照信号はそのセル識別子によって区別可能であり得るが、これは要件ではない。
【００３３】
図１に示す例では、ターゲット・セル１０３及びサービング・セル１０１は同じセル・レイヤを含み得る。前述の実施例では、同じセル・レイヤは、マクロセル・レイヤ又はマイクロセル・レイヤを含み得る。
【００３４】
他の一部の実施例では、ターゲット・セル１０３及びサービング・セル１０１は別々のセル・レイヤを含み得る。別々のセル・レイヤは、マクロセル・レイヤ及びマイクロセル・レイヤを含み得る。マクロセル・レイヤはマクロ・セルを含み得る。マイクロセル・レイヤは、マイクロセル、ピコセル、及びフェムトセルの１つ又は複数を含み得る。前述の実施例の一部では、マイクロセル・レイヤのセルは、図３に示すように、マクロ・レイヤのセル内に配置し得る。
【００３５】
図３は、一部の実施例による別々のセル・レイヤ内のセルラ通信を示す。前述の例示的な実施例では、ｅノードＢ３０４はマクロｅノードＢであり得、マクロセル・レイヤのマクロ・セル３０１との通信サービスを提供し得る。ｅノードＢ３０６は、マイクロセルｅノードＢであり得、マイクロセル・レイヤのマイクロセル３０３内の通信サービスを提供し得る。マイクロセル３０３はマクロ・セル３０１内に配置し得る。前述の実施例では、ＵＥは、動的に、サービング・セルＲＳＲＰ及びターゲット・セルＲＳＲＰに基づいてＡ３オフセット・ＴＴＴ対を選択し、上述したようにＡ３オフセット・ＴＴＴ対に基づいてハンドオーバを起動させ得る。前述の実施例は、別々のサイズ／レイヤのセル間のハンドオーバを含む異種ネットワーク（ヘトネット。すなわち、別々のセル・レイヤを有する）において特に有益であり得る。
【００３６】
図４は、一部の実施例によるユーザ装置（ＵＥ）４００のブロック図である。ＵＥ４００はＵＥ１０２（図１）としての使用に好適であり得るが、他の構成も好適であり得る。ＵＥ４００は、１つ又は複数のアンテナを介してｅノードＢと通信するための物理レイヤ（ＰＨＹ）レイヤ回路４０２を含み得る。ＵＥ４００は更に、メディアアクセス制御（ＭＡＣ）レイヤ回路４０４、並びに、処理回路４０６及びメモリ４０８を含み得る。
【００３７】
一部の実施例によれば、処理回路４０６は、上述したようにＡ３オフセット値２０５（図２）を選択し、ＴＴＴ２０７（図２）を選択するよう構成し得る。物理レイヤ回路４０２は、ターゲット・セル１０３（図１）のＲＳＲＰを含む１つ又は複数の近傍セルのＲＳＲＰ、及びサービング・セルＲＳＲＰ２０１を測定するよう構成し得る。メモリ４０８は、ｅノードＢ１０４（図１）から受信されていたことがあり得るＡ３オフセット値、ＴＴＴ、及び１つ又は複数のＲＳＲＰ閾値を記憶するよう構成し得る。物理レイヤ回路４０２は更に、選択されたＴＴＴの間に、少なくとも選択されたＡ３オフセット値だけ、ターゲット・セルＲＳＲＰ２０３がサービング・セルＲＳＲＰを超える場合に、サービング・セル１０１からターゲット・セル１０３へのハンドオーバを行い得る。
【００３８】
一部の実施例では、ＵＥ４００は、キーボード、ディスプレイ、不揮発性メモリ・ポート、複数のアンテナ、グラフィクス・プロセッサ、アプリケーション・プロセッサ、スピーカ、及び他のモバイル装置エレメントの１つ又は複数を含み得る。ディスプレイは、タッチ画面を含むＬＣＤ画面であり得る。ＵＥ４００によって利用される１つ又は複数のアンテナは、例えば、ダイポール・アンテナ、モノポール・アンテナ、パッチ・アンテナ、ループ・アンテナ、マイクロストリップ・アンテナ、又はＲＦ信号の伝送に適した他のタイプのアンテナを含み得る。一部の実施例では、２つ以上のアンテナの代わりに、複数のアパーチャを備えた単一のアンテナを使用し得る。前述の実施例では、各アパーチャは別個のアンテナとみなし得る。一部の複数入力複数出力（ＭＩＭＯ）の実施例では、アンテナは、送信局のアンテナと、アンテナそれぞれとの間に生じ得る異なるチャネル特性、及び空間ダイバーシチを利用するよう効果的に離間させ得る。一部のＭＩＭＯ実施例では、アンテナは最大１／１０波長以上だけ、離間させ得る。
【００３９】
ＵＥ４００は、別個のいくつかの機能エレメントを有しているものとして例証しているが、機能エレメントの１つ又は複数は、組み合わせ得、ディジタル信号プロセッサ（ＤＳＰ）を含む処理エレメントなどのソフトウェア構成エレメント、及び／他のハードウェア・エレメントの組み合わせによって実現し得る。例えば、一部のエレメントは、１つ又は複数のマイクロプロセッサ、ＤＳＰ、特定用途向集積回路（ＡＳＩＣ）、無線周波数集積回路（ＲＦＩＣ）、及び少なくとも本明細書及び特許請求の範囲に記載した機能を行うための種々のハードウェア及び論理回路の組み合わせを備え得る。一部の実施例では、機能エレメントは、１つ又は複数の処理エレメントを処理する１つ又は複数の処理を表し得る。
【００４０】
実施例は、ハードウェア、ファームウェア、及びソフトウェアの１つ又は組み合わせで実現し得る。実施例は更に、本明細書及び特許請求の範囲記載の動作を行うために少なくとも１つのプロセッサによって読み取り、実行し得るコンピュータ読み取り可能な記憶媒体上に記憶された命令として実現し得る。コンピュータ読み取り可能な記憶媒体は、マシン（例えば、コンピュータ）によって読み取り可能な形式で情報を記憶するための何れかの一時的でない機構を含み得る。例えば、コンピュータ読み取り可能な記憶媒体は、リードオンリ・メモリ（ＲＯＭ）、ランダムアクセス・メモリ（ＲＡＭ）、磁気ディスク記憶媒体、光記憶媒体、フラッシュメモリ装置、並びに、他の記憶装置及び媒体を含み得る。前述の実施例では、ＵＥ４００の１つ又は複数のプロセッサは、本明細書及び特許請求の範囲記載の動作を行う旨の命令で構成し得る。
【００４１】
一部の実施例では、処理回路４０６は１つ又は複数のプロセッサを含み得、物理レイヤ回路４０２は無線周波数（ＲＦ）回路及びベースバンド回路を含み得る。ＲＦ回路は受信器回路及び送信器回路を含み得る。受信器回路は、受信ＲＦ信号をベースバンド信号に変換し得、ベースバンド回路はベースバンド信号を１つ又は複数のビット・ストリームに変換し得る。送信器回路は１つ又は複数のビット・ストリームをベースバンド信号に変換し、ベースバンド信号を、送信するためにＲＦ信号に変換し得る。
【００４２】
一部の実施例では、ＵＥ４００は、ＯＦＤＭＡ通信手法により、マルチキャリア通信チャネルを介してＯＦＤＭ通信信号を受信するよう構成し得る。ＯＦＤＭ信号は、複数の直交サブキャリアを含み得る。一部のブロードバンド・マルチキャリアの実施例では、ｅノードＢは、第３世代パートナーシップ・プロジェクト（３ＧＰＰ）ユニバーサル地上無線アクセス・ネットワーク（ＵＴＲＡＮ）ロングタームエボリューション（ＬＴＥ）又はロングタームエボリューション（ＬＴＥ）通信ネットワークなどの広帯域無線アクセス（ＢＷＡ）ネットワーク通信ネットワークの一部であり得るが、実施例の範囲はこの点に限定されるものでない。前述の広帯域マルチキャリアの実施例では、ＵＥ４００及びｅノードＢは、３ＧＰＰ−ＬＴＥの直交周波数分割多元接続（ＯＦＤＭＡ）によって通信するよう構成し得る。
【００４３】
一部のＬＴＥの実施例では、無線リソースの基本単位は、物理リソース・ブロック（ＰＲＢ）である。ＰＲＢは、周波数領域における１２のサブキャリア  ×  時間領域における０．５ｍｓを含み得る。ＰＲＢは、（時間領域において）対で割り当て得る。前述の実施例では、ＰＲＢは複数のリソース・エレメント（ＲＥ）を含み得る。ＲＥは、一サブキャリア  ×  一シンボルを含み得る。
【００４４】
復調参照信号（ＤＭ−ＲＳ）、チャネル状態情報参照信号（ＣＩＳ−ＲＳ）及び／又は共通参照信号（ＣＲＳ）を含む２つのタイプの参照信号をｅＮＢによって送信し得る。ＤＭ−ＲＳは、データ変調のためにＵＥによって使用し得る。参照信号は所定のＰＲＢ内で送信し得る。
【００４５】
一部の実施例では、ＯＦＤＭＡ手法は、別々の上りリンク及び下りリンクのスペクトルを使用する周波数領域複信（ＦＤＤ）手法、又は上りリンク及び下りリンクに同じスペクトルを使用する時間領域複信（ＴＤＤ）手法であり得る。
【００４６】
一部の実施例では、ＵＥ４００は、携帯情報端末（ＰＤＡ）などのポータブル無線通信装置、無線通信機能を有するラップトップ型又はポータブル型コンピュータ、ウェブ・タブレット、無線電話機、無線ハンドセット、ページャ、インスタント・メッセージング装置、ディジタル・カメラ、アクセス・ポイント、テレビ受像機、医療装置（例えば、心拍計、血圧計等）、又は、無線で情報を受信し、かつ／又は送信し得る他の装置を含み得る。
【００４７】
一部のＬＴＥの実施例では、ＵＥ４００は、閉ループ空間多重伝送モードのチャネル適応を行うために使用し得る別々のいくつかのフィードバック値を算出し得る。前述のフィードバック値は、チャネル品質インディケータ（ＣＱＩ）、ランク・インディケータ（ＲＩ）、及びプレコーディング・マトリクス・インディケータ（ＰＭＩ）を含み得る。ＣＱＩにより、送信器は、いくつかの変調アルファベット及びコード・レートの組み合わせの１つを選択する。ＲＩは、現在のＭＩＭＯチャネルに有用な伝送レイヤの数について送信器に通知し、ＰＭＩは、送信器において適用される（送信アンテナの数に応じた）プリコーディング・マトリクスのコードブック・マトリクスを示す。ｅＮＢによって使用されるコード・レートはＣＱＩに基づき得る。ＰＭＩは、ＵＥ４００によって算出され、ｅＮＢに通知されるベクトルであり得る。一部の実施例では、ＵＥ４００は、ＣＱＩ／ＰＭＩ又はＲＩを含む形式２、２ａ又は２ｂの物理上りリンク制御チャネル（ＰＵＣＣＨ）を送信し得る。
【００４８】
前述の実施例では、ＣＱＩは、ＵＥ４００が遭遇する下りリンク移動無線チャネル品質の表示であり得る。ＣＱＩは、結果として生じる伝送ブロック・エラー・レートが１０％などの特定値を超えないように、特定の無線リンク品質に用いるための最適な変調手法及び符号化レートをＵＥ４００がｅＮＢに提案することを可能にする。一部の実施例では、ＵＥ４００は、システム帯域幅のチャネル品質を表す広帯域ＣＱＩ値を通知し得る。ＵＥ４００は更に、より高いレイヤによって構成し得る特定数のリソース・ブロックのサブバンド毎のサブバンドＣＱＩ値を通知し得る。サブバンド・セット全体がシステム帯域幅を包含し得る。空間多重の場合、符号語毎のＣＱＩを通知し得る。
【００４９】
一部の実施例では、ＰＭＩは、特定の無線状態についてｅＮＢによって使用される対象の最適なプレコーディング・マトリクスを示し得る。ＰＭＩ値はコードブック・テーブルを表す。ネットワークは、ＰＭＩ通知によって表されるリソース・ブロックの数を構成する。一部の実施例では、システム帯域幅を包含するために、複数のＰＭＩ通知を提供し得る。ＰＭＩ通知は、閉ループ空間多重、マルチユーザＭＩＭＯ、及び閉ループ・ランク１・プレコーディングＭＩＭＯモードについても提供し得る。
【００５０】
一部の協調マルチポイント（ＣｏＭＰ）の実施例では、ネットワークは、遠隔無線ヘッド（ＲＲＨ）などの２つ以上の協調／連携点が共同で送信するＵＥへのジョイント送信のために構成し得る。前述の実施例では、ジョイント送信はＭＩＭＯ送信であり得、協調点は、ジョイントビーム形成を行うよう構成される。
【００５１】
図５は、一部の実施例による、ハンドオーバ・イニシエーション・パラメータの適応的選択の手順である。手順５００は、ハンドオーバ・イニシエーション・パラメータの適応的選択のために、ＵＥ１０２（図１）などのＵＥによって行い得る。
【００５２】
動作５０２では、ＵＥはサービング・セルＲＳＲＰを測定し得る。
【００５３】
動作５０４では、ＵＥはターゲット・セルＲＳＲＰを測定し得る。動作５０４は、ハンドオーバの候補及び潜在的なターゲット・セルとして１つ又は複数の近傍セルのＲＳＲＰを測定する工程を含み得る。最大のＲＳＲＰを有する近傍セルがターゲット・セルであり得る。
【００５４】
動作５０６では、ＵＥは、ターゲット・セルＲＳＲＰに基づいてＡ３オフセット値を選択し得る。Ａ３オフセット値は、ターゲット・セルＲＳＲＰに反比例するものとして選択し得る。
【００５５】
動作５０８では、ＵＥはサービング・セルＲＳＲＰに基づいてＴＴＩを選択し得る。ＴＴＴは、サービング・セルＲＳＲＰに比例するよう選択し得る。Ａ３オフセット値及びＴＴＴの選択は、上述したように、１つ又はＲＳＲＰ閾値とのターゲット・セルＲＳＲＰの比較、及び１つ又は複数のＲＳＲＰ閾値とのサービング・セルＲＳＲＰの比較に基づき得る。
【００５６】
動作５１０では、ＵＥはハンドオーバを要求し得る。一部の実施例では、ＵＥは、ターゲット・セルＲＳＲＰが、ＴＴＴの間に少なくともＡ３オフセット値だけ、サービング・セルＲＳＲＰを超える場合にサービング・セルからターゲット・セルへのハンドオーバのために測定通知をｅノードＢに送信し得る。一部の実施例では、ＵＥは、ハンドオーバ要求をサービングｅノードＢに送信し得る。
【００５７】
一部の実施例では、ＵＥは、接続確立時にｅノードＢ１０４（図１）から複数のＡ３オフセット値、複数のＴＴＴ、及び１つ又は複数のＲＳＲＰ閾値を受信し得る。Ａ３オフセット値及びＴＴＴの選択は、複数のＡ３オフセット値及びＴＴＴから行い得、１つ又は複数のＲＳＲＰ閾値に基づき得る。
【００５８】
要約は、技術的開示の性質及び趣旨を読者が確かめることを可能にすることを要求している３７ＣＦＲセクション１．７２（ｂ）に準拠するよう記載している。本出願の特許請求の範囲に記載された請求項の範囲又は意味を解釈又は制限するために使用されないと理解されるものとする。特許請求の範囲に記載の内容は、上記詳細な説明に組み入れ、各請求項はそれ自体が別個の実施例として成立している。
【図１】
0005778358.tif 000002
【図２】
0005778358.tif 000003
【図３】
0005778358.tif 000004
【図４】
0005778358.tif 000005
【図５】
0005778358.tif 000006